(57)【要約】【課題】検索キーワードに関連性の高いデータをもれなく検索結果として提示可能なデータ検索システム及びデータ検索方法を提供すること。【解決手段】少なくとも日時情報が付加データとして付加された複数の検索対象データの検索を行うデータ検索システム１であって、複数の検索対象データのうちから検索キーワードを含むキーワード一致データを検索し、該キーワード一致データに付加されている付加データに含まれる日時情報を連動検索キーワードとして抽出する検索手段と、複数の検索対象データのうちから連動検索キーワードと近似する付加データが付加された連動一致データが存在するかを検索する連動検索手段と、キーワード一致データ及び連動一致データを出力する出力手段とを備える。【選択図】図１
2013206387.tif 000002
【特許請求の範囲】
【請求項１】
少なくとも日時情報が付加データとして付加された複数の検索対象データの検索を行うデータ検索システムであって、
前記複数の検索対象データのうちから検索キーワードを含むキーワード一致データを検索し、該キーワード一致データに付加されている付加データに含まれる日時情報を連動検索キーワードとして抽出する検索手段と、
前記複数の検索対象データのうちから前記連動検索キーワードと近似する付加データが付加された連動一致データが存在するかを検索する連動検索手段と、
前記キーワード一致データ及び前記連動一致データを出力する出力手段と、を備える
ことを特徴とするデータ検索システム。
【請求項２】
前記付加データとして位置情報をさらに含み、
前記検索手段は、キーワード一致データに付加されている付加データに含まれる位置情報を連動検索キーワードとして抽出する
ことを特徴とする請求項１記載のデータ検索システム。
【請求項３】
前記付加データとしてユーザが任意に登録できるテキストデータであるユーザ登録情報をさらに含み、
前記検索手段は、キーワード一致データに付加されている付加データに含まれるユーザ登録情報を連動検索キーワードとして抽出する
ことを特徴とする請求項１又は２記載のデータ検索システム。
【請求項４】
前記キーワード一致データと前記連動一致データとを、階層を分けて生成する階層構造特定手段をさらに備え、
前記出力手段は、前記階層構造特定手段により生成された階層に従って、前記キーワード一致データ及び前記連動一致データを出力する
ことを特徴とする請求項１〜３のいずれか１項に記載のデータ検索システム。
【請求項５】
少なくとも日時情報が付加データとして付加された複数の検索対象データから検索を行うデータ検索方法であって、
検索手段が、前記複数の検索対象データのうちから検索キーワードを含むキーワード一致データを検索し、該キーワード一致データに付加されている付加データに含まれる日時情報を連動検索キーワードとして抽出する検索ステップと、
連動検索手段が、前記複数の検索対象データのうちから前記連動検索キーワードと近似する付加データが付加された連動一致データが存在するかを検索する連動検索ステップと、
出力手段が、前記キーワード一致データ及び前記連動一致データを出力する出力ステップと、を備える
ことを特徴とするデータ検索方法。
【発明の詳細な説明】
【技術分野】
【０００１】
本発明は、データ検索システム及びデータ検索方法に関する。
【背景技術】
【０００２】
近年、ＳＮＳ（Ｓｏｃｉａｌ  Ｎｅｔｗｏｒｋｉｎｇ  Ｓｅｒｖｉｃｅ）の普及や、クラウドサービスを利用したデータ管理の一般化により、ユーザが管理するデータ量は増加傾向にある。そのような中で、ユーザが管理している膨大なデータの中から、ユーザが望むデータを、迅速かつ正確に探し出せるよう、検索方法の高機能化が望まれている。従来の検索方法として、入力されたキーワードに基づき、スキーマ（データ構造）が互いに異なるデータ格納装置を横断して検索する横断検索技術が知られている（例えば特許文献１参照）。
【先行技術文献】
【特許文献】
【０００３】
【特許文献１】特開２００８−１０２７３６号公報
【発明の概要】
【発明が解決しようとする課題】
【０００４】
しかしながら、従来の検索方法は、ユーザが入力した検索キーワードを含むデータのみを検索結果として提示するものであった。例えば、近年は特に写真データを管理するユーザが増えているが、このような写真データはテキストを含まないデータであるため、ユーザがキーワードを入力して検索した場合に、当該入力したキーワードと関連性の高い写真データが存在していても、検索結果として当該写真データを提示することはできなかった。また、ＳＮＳを利用して発信する情報は、検索キーワードに合致する内容を含まない情報が多いため、発信後に検索することが困難であった。即ち、従来の方法では、検索キーワードを含まないデータについては、当該検索キーワードと関連性が高いデータであっても検索結果として提示できないという問題があった。
【０００５】
本発明は上記実情に鑑みてなされたものであり、検索キーワードに関連性の高いデータをもれなく検索結果として提示可能なデータ検索システム及びデータ検索方法を提供することを目的とする。
【課題を解決するための手段】
【０００６】
本発明に係るデータ検索システムは、少なくとも日時情報が付加データとして付加された複数の検索対象データの検索を行うデータ検索システムであって、複数の検索対象データのうちから検索キーワードを含むキーワード一致データを検索し、該キーワード一致データに付加されている付加データに含まれる日時情報を連動検索キーワードとして抽出する検索手段と、複数の検索対象データのうちから連動検索キーワードと近似する付加データが付加された連動一致データが存在するかを検索する連動検索手段と、キーワード一致データ及び連動一致データを出力する出力手段と、を備えることを特徴とする。
【０００７】
このデータ検索システムによれば、検索キーワードを含むデータが存在した場合に、当該データの付加データに含まれる日時情報を連動検索キーワードとして抽出し、他の複数のデータに該連動検索キーワードと近似する付加データを有するものがあれば、検索キーワードに間接的に関連するデータとして検索して出力することができる。その結果、検索キーワードだけではなくキーワード一致データの付加データに基づいて、複数のデータを連動して検索することができるため、検索キーワードを含まないデータであっても、検索キーワードに関連性の高いデータとして検索し出力することができる。また、検索キーワードを含むデータに付加された日時情報に基づいて検索するため、連動一致データについては、検索キーワードと時期的に関連性の高いデータである可能性が高い。よって、本発明によれば、検索キーワードと時期的関連性の高いデータについてもれなく検索結果として出力することができる。
【０００８】
また、本発明に係るデータ検索システムにおいて、付加データとして位置情報をさらに含み、検索手段は、キーワード一致データに付加されている付加データに含まれる位置情報を連動検索キーワードとして抽出することが好ましい。この場合、位置情報を付加データとして採用することにより、検索キーワードと位置的に関連性の高い関連データを、もれなく検索結果として提示できる。
【０００９】
また、本発明に係るデータ検索システムにおいて、付加データとしてユーザが任意に登録できるテキストデータであるユーザ登録情報をさらに含み、検索手段は、キーワード一致データに付加されている付加データに含まれるユーザ登録情報を連動検索キーワードとして抽出することが好ましい。この場合は、ユーザが任意に登録した情報に基づいて、検索キーワードとその情報を介して関連する関連データを検索結果として提示できる。
【００１０】
また、本発明に係るデータ検索システムにおいて、キーワード一致データと連動一致データとを階層を分けて生成する階層構造特定手段をさらに備え、出力手段は、階層構造特定手段により生成された階層に従ってキーワード一致データ及び連動一致データを出力するが好ましい。かかる構成を採れば、キーワード一致データと、検索キーワードを含まないが関連性が高いと想定される連動一致データとを分けて生成することとなり、ユーザにとって検索キーワードとの関連性を認識しやすいデータ出力が可能となる。
【００１１】
また、本発明に係るデータ検索方法は、少なくとも日時情報が付加データとして付加された複数の検索対象データから検索を行うデータ検索方法であって、検索手段が複数の検索対象データのうちから検索キーワードを含むキーワード一致データを検索し、該キーワード一致データに付加されている付加データに含まれる日時情報を連動検索キーワードとして抽出する検索ステップと、連動検索手段が、複数の検索対象データのうちから連動検索キーワードと近似する付加データが付加された連動一致データが存在するかを検索する連動検索ステップと、出力手段が、キーワード一致データ及び連動一致データを出力する出力ステップと、を備えることを特徴とする。この検索方法は、上述のデータ検索システムと同様な効果を奏することができる。
【発明の効果】
【００１２】
本発明によれば、関連性の高いデータをもれなく検索結果として提示可能なデータ検索システム及びデータ検索方法を提供することができる。
【図面の簡単な説明】
【００１３】
【図１】本発明の実施形態にかかるデータ検索システム１の概略構成図である。
【図２】図１のデータ検索用サーバ装置１０を構成する計算機のハードウェア構成を示すブロック図である。
【図３】図１のデータ検索用サーバ装置１０に格納されている検索対象データのデータ構成を示す図である。
【図４】図１のデータ検索システム１によって生成された検索結果のデータ構成を示す図である。
【図５】図１の端末装置２０における検索結果の表示例を示す図である。
【図６】図１のデータ検索システム１によるデータ検索時の動作を示すフローチャートである。
【発明を実施するための形態】
【００１４】
以下、図面とともに本発明によるデータ検索システム及びデータ検索方法の好適な実施形態について詳細に説明する。なお、図面の説明においては同一要素には同一符号を付し、重複する説明を省略する。
【００１５】
図１は、本発明の実施形態にかかるデータ検索システム１の概略構成図である。図１に示すデータ検索システム１は、データ検索用サーバ装置１０と、データ検索用サーバ装置１０と通信を行う端末装置２０と、を備えている。データ検索用サーバ装置１０は、ユーザにより端末装置２０を利用して記憶されたスケジュールデータ、写真データ、ＳＮＳ利用データ等の検索対象データを格納及び管理するサーバ装置である。このデータ検索用サーバ装置１０は、１台のサーバ装置で構成されていてもよいし、複数のサーバ装置が連携して動作するサーバシステムであってもよい。このデータ検索用サーバ装置１０は、移動体通信方式を採用した移動体通信ネットワークや有線通信ネットワーク等によって構成される通信ネットワークＮＷを介して、端末装置２０と相互にデータ通信を行うことが可能とされている。データ検索用サーバ装置１０は通信部１８を、端末装置２０は通信部２４を備えており、これらを用いて相互に通信を行う。端末装置２０は、ＰＣ（Ｐｅｒｓｏｎａｌ  Ｃｏｍｐｕｔｅｒ）、携帯電話端末、スマートフォン、ＰＤＡ等に代表される端末装置２０である。
【００１６】
図２は、本発明の実施形態にかかるデータ検索用サーバ装置１０を構成する計算機のハードウェア構成を示すブロック図である。データ検索用サーバ装置１０を構成する計算機３０は、物理的には、ＣＰＵ３１と、主記憶装置であるＲＡＭ３２及びＲＯＭ３３と、ハードディスク装置等の補助記憶装置３６と、入力デバイスである入力キー、タッチパネル、マウス等の入力装置３５と、ディスプレイ、スピーカ等の出力装置３７と、他の端末装置やサーバ装置との間での通信ネットワークＮＷを介したデータの送受信を司る通信モジュール３４とを含む情報処理装置として構成されている。データ検索用サーバ装置１０によって実現される機能は、図２に示すＣＰＵ３１、ＲＡＭ３２等のハードウェア上に所定のプログラムを読み込ませることにより、ＣＰＵ３１の制御のもとで通信モジュール３４、入力装置３５、出力装置３７を動作させるとともに、ＲＡＭ３２や補助記憶装置３６におけるデータの読み出し及び書き込みを行うことで実現される。
【００１７】
まず、データ検索用サーバ装置１０の各構成要素の機能について詳細に説明する。
【００１８】
図１に戻って、データ検索用サーバ装置１０は、機能的な構成要素として、検索対象データ格納部１１と、インデックス作成部１２と、検索部（検索手段）１３と、連動検索部（連動検索手段）１４と、階層構造特定部（階層構造特定手段）１５と、出力部（出力手段）１６と、インデックス格納部１７と、通信部１８とを備えている。
【００１９】
検索対象データ格納部１１は、複数の検索対象データを記憶する。検索対象データはテキストデータや画像データを含むデータであり、例えば、スケジュールデータ１７０、ＳＮＳデータ１７１、写真データ１７２、ニュースデータ１７３、天気データ１７４、乗換案内データ１７５などがある。図３（ａ）に検索対象データの一例を示している。同図に示すように、１つのテキストデータには、検索時にそのデータを識別するためのＩＤ（“カレンダ＿００１”など）と、データ内容（“岡山出張”など）とが含まれる。さらに、当該データに付加された情報を記載した付加データであるメタデータとして、日時情報（“２０１２／１／３０  １１：００〜２０：００”など）と、位置情報（“岡山県岡山市北区”など）と、同行者情報（“鈴木、田中”など）と、タグ情報（“ＳＮＳ検討”など）とがＩＤに対応付けて記憶されている。メタデータのうち、日時情報と位置情報はデータ登録時に自動で当該データに紐づいて登録される情報であり、同行者情報及びタグ情報はデータ登録時にメタデータとしてユーザが任意に登録可能なテキスト情報（ユーザ登録情報）である。なお、検索対象データは、必ずしもデータ検索用サーバ装置１０の検索対象データ格納部１１に格納されている必要はなく、別のサーバ装置に保持されていてもよく、ＡＰＩ（Ａｐｐｌｉｃａｔｉｏｎ  Ｐｒｏｇｒａｍ  Ｉｎｔｅｒｆａｃｅ）等で当該検索対象データが当該サーバ装置から取得されたデータであってもよい。
【００２０】
インデックス作成部１２は、検索対象データ格納部１１に格納された検索対象データに基づいてインデックスを作成する。インデックスを作成することによって、データ検索時に検索対象データ全体を検索する必要がなくなり、効率的な検索が可能となる。作成されたインデックス情報はインデックス格納部１７に記憶される。インデックス格納部１７に格納されたインデックスのイメージを図３（ｂ）に示す。同図に示すように、“岡山出張”というデータ内容を検索するためのインデックスが、インデックスに対応するデータを識別するＩＤ（“カレンダ＿００１”）に対応付けて格納されている。
【００２１】
検索部１３は、検索対象データ格納部１１に格納されている複数の検索対象データのうちから、検索キーワードを含むキーワード一致データを検索する。検索キーワードは、ユーザが入力したキーワードが端末装置２０の通信部２４よりデータ検索用サーバ装置１０に向かって送信され、通信部１８にて受信される。検索部１３による検索は、インデックスを用いて行われる。キーワード一致データは、検索キーワードと完全に一致するデータだけではなく検索キーワードを含むデータであればよい。また、検索部１３は、キーワード一致データが存在する場合に、キーワード一致データに付加されているメタデータ（日時情報、位置情報、同行者情報、タグ情報）を連動検索キーワードとして抽出する。例えば、図３（ａ）に示す検索対象データの例において、検索キーワードが“岡山出張”であった場合には、図３（ｂ）に示すインデックス格納部１７に格納されたインデックスと一致する。この場合、図４（ａ）に示すＩＤ“カレンダ＿００１”を含むデータがキーワード一致データであり、当該データに付加されたメタデータである、“２０１２／１／３０  １１：００〜２０：００”（日時情報）、“岡山県岡山市北区”（位置情報）、“鈴木、田中”（同行者情報）、“ＳＮＳ検討”（タグ情報）が連動検索キーワードである。
【００２２】
連動検索部１４は、検索対象データ格納部１１に格納されている複数の検索対象データのうちから、連動検索キーワードと近似するメタデータが付加された連動一致データが存在するかを検索する。当該連動一致データの検索においては、同一項目のメタデータ間での検索を行う。例えば、図３（ａ）に示す検索対象データの例において、“岡山出張”を含むデータがキーワード一致データである場合には、連動検索キーワードとして日時情報の“２０１２／１／３０  １１：００〜２０：００”が抽出される。この場合、連動検索時には、検索対象データの日時情報に連動検索キーワードである“２０１２／１／３０  １１：００〜２０：００”と近似する日時情報が存在するか否かを検索する。なお、「連動検索キーワードに近似」とは完全一致でなくてよいという意味であり、例えば、日時情報の連動検索キーワードが“２０１２／１／３０  １１：００〜２０：００”である場合に、年月日のみ入力され該年月日が一致するデータ（“２０１２／１／３０”）や、年月日が一致し時間帯が一部一致するデータ（“２０１２／１／３０  １８：００〜２２：００”）や、互いの時間帯にはさまれる時間帯が所定時間以下であるデータ（“２０１２／１／３０  ２１：００〜２３：００”）などは、一定の時間的範囲に含まれるデータであり近似と考えることができる。また、位置情報については、連動検索キーワードが地名”岡山県岡山市北区”である場合には、当該地名の一致（都道府県名，市区町村名，街区名など一部の地名との一致を含む）を判断してもよいし、当該地名を緯度経度に変換することで、空間的な近接性（近似するか否か）の判断を行っても良い。また、連動検索キーワードが緯度経度の値であった場合には、当該緯度経度の値により空間的な近接性を判断してもよいし、当該緯度経度の値に対応する地名に変換して、地名の一致（一部一致含む）を判断してもよい。図３（ａ）に示す検索対象データの例において、“岡山出張”がキーワード一致データである場合には、“写真＿００１”のデータ（日時情報が近似）、“天気００１”のデータ（日時情報が近似、位置情報が一致）、“ＳＮＳ＿００１”のデータ（タグ情報が一致）が連動一致データとして特定される。
【００２３】
階層構造特定部１５は、検索部１３によって検索されたキーワード一致データと、連動検索部１４によって検索された連動一致データとを階層を分けて生成する階層構造特定手段である。図４（ｂ）に階層構造特定部１５によって生成された階層構造データの例を示している。第一階層は、キーワード一致データである。第二階層は、連動一致データのメタデータの項目名（日時情報、位置情報、同行者情報、又はタグ情報）である。第三階層は、連動一致データである。また、階層を生成する際に、三階層ではなく二階層とすることも考えられ、この場合に、第一階層はキーワード一致データであり、第二階層は連動一致データである。この階層構造データは検索キーワードを基に検索されたキーワード一致データと、そのデータに連動して検索された複数の連動一致データとの関係を階層的に示している。
【００２４】
出力部１６は、キーワード一致データと連動一致データとを出力する。出力部１６によって出力されたデータは、通信部１８によって端末装置２０に送信される。すなわち出力部１６は、上述した階層構造特定部１５によって生成された階層構造データを参照して、キーワード一致データ及び連動一致データを出力する。
【００２５】
次に、端末装置２０の各構成要素の機能について詳細に説明する。図１に示すように、端末装置２０は、データ登録部２１と、検索キーワード入力部２２と、データ検索結果表示部２３と、通信部２４とを備えている。
【００２６】
データ登録部２１は、ユーザ操作に基づいて、検索対象データ格納部１１に格納される検索対象データを受け付けて、データ検索用サーバ装置１０に登録する。例えば、ユーザがスケジュールデータ１７０や、ＳＮＳデータ１７１を更新した場合に、当該更新した情報を検索対象データとして検索対象データ格納部１１に登録する。また、データ登録部２１は、メタデータとしてユーザが任意に登録可能なユーザ登録情報（同行者情報及びタグ情報）を受け付けてデータ検索用サーバ装置１０に登録する。検索対象データが、データ検索用サーバ装置１０の検索対象データ格納部１１に格納されておらず、別のサーバ装置に保持されている場合は、データ登録部２１は、検索対象データを当該サーバ装置に登録する。
【００２７】
検索キーワード入力部２２は、ユーザ操作に基づく、検索キーワードの入力を受け付ける。検索キーワード入力部２２により受け付けられたキーワードは、通信部２４を介してデータ検索用サーバ装置１０に送信される。受け付けられたキーワードは検索部１３による検索において検索キーワードとされる。
【００２８】
データ検索結果表示部２３は、出力部１６によって出力されるキーワード一致データ及び連動一致データを表示する。また、出力部１６により階層構造データが出力された場合には、当該データを各階層に分けて表示する。図５は本発明の実施形態にかかる端末装置２０における検索結果の表示例を示す図である。図５（ａ）は階層を二階層で表示した場合の表示例であり、図５（ｂ）は階層を三階層で表示した場合の表示例である。図５（ａ）の二階層で表示した場合には、第一階層であるキーワード一致データ及び該キーワード一致データのメタデータは表示部分１００のように表示され、第二階層である連動一致データは表示部分１０１のように表示部分１００の下に表示される。図５（ｂ）の三階層で表示した場合には、第一階層であるキーワード一致データ及び該キーワード一致データのメタデータは表示部分１０２のように表示される。また第二階層である連動一致データのメタデータ項目名は表示部分１０３や、表示部分１０４のように表示部分１０２の下に表示される。第三階層である連動一致データは、第二階層であるメタデータ項目名の対応する箇所に表示される。即ち、表示部分１０３に対応する連動一致データは表示部分１０５のように表示部分１０３の下に表示され、表示部分１０４に対応する連動一致データは表示部分１０６のように表示部分１０４の下に表示される。なお図５では、第一階層に表示されるメタデータとして、日時情報、位置情報、同行者情報のみ記載し、タグ情報を記載していないが、タグ情報が登録されている場合にはタグ情報についても表示することとしてもよい。
【００２９】
以下、図６を参照して、データ検索システム１の動作について説明するとともに、併せて、データ検索システム１におけるデータ検索方法について詳述する。同図は、データ検索システム１によるデータ検索時の動作を示すフローチャートである。
【００３０】
まず、端末装置２０のユーザ操作（スケジュールデータやＳＮＳデータの更新に関する操作）が受け付けられ、データ登録部２１によって検索対象データの登録がされる（ステップＳ１０１）。データ登録がされると、インデックス作成部１２によって、登録された検索対象データに基づいたインデックス作成が行われる（ステップＳ１０２）。
【００３１】
その後、ユーザが端末装置２０からデータ検索を行うと、検索キーワード入力部２２によってユーザ操作（ユーザが入力したキーワード）に基づいた検索キーワード入力が受け付けられる（ステップＳ１０３）。当該検索キーワードは、端末装置２０の通信部２４からデータ検索用サーバ装置１０の通信部１８に送信される（ステップＳ１０４）。次に、データ検索用サーバ装置１０では、端末装置２０から送信された検索キーワードに基づいて、検索部１３によるキーワード検索が行われる（ステップＳ１０５）。検索対象データに検索キーワードを含むデータが存在した場合には、検索部１３によって当該データがキーワード一致データとして特定される（Ｓ１０６）。さらに、キーワード一致データに付加されているメタデータ（日時情報、位置情報、同行者情報、タグ情報）は、検索部１３によって連動検索キーワードとして抽出される（ステップＳ１０７）。
【００３２】
次に、連動検索キーワードに基づいて、連動検索部１４による連動検索が行われる（ステップＳ１０８）。検索対象データに連動検索キーワードと近似するメタデータが付加されたデータが存在した場合には、連動検索部１４によって当該データが連動一致データとして特定される（ステップＳ１０９）。次に、階層構造特定部１５によって、キーワード一致データと連動一致データの階層構造を示す階層構造データが生成される（ステップＳ１１０）。この際、階層構造は、三階層または二階層で特定される。
【００３３】
ステップＳ１１０にて階層構造が特定された後、出力部１６によって、生成された階層に従って、キーワード一致データ及び連動一致データが出力される（ステップＳ１１１）。当該出力されたデータは、通信部１８及び通信部２４を介して通信され、端末装置２０によって検索結果として受信される（ステップＳ１１２）。受信されたデータは、階層の違いをユーザが認識できるような出力形式で出力され、データ検索結果表示部２３によって表示される（ステップＳ１１３）。
【００３４】
以上、説明したデータ検索システム１、及びデータ検索システム１におけるデータ検索方法によれば、検索キーワードを含むデータが存在した場合に当該データの付加データに含まれる日時情報を連動検索キーワードとして抽出し、他の複数のデータに該連動検索キーワードと近似する付加データを有するものがあれば、検索キーワードに間接的に関連するデータとして検索して出力することができる。その結果、検索キーワードだけではなくキーワード一致データの付加データに基づいて、複数のデータを連動して検索することができるため、検索キーワードを含まないデータであっても、検索キーワードに関連性の高いデータとして検索し出力することができる。また、検索キーワードを含むデータに付加された日時情報に基づいて検索するため、連動一致データについては、検索キーワードと時期的に関連性の高いデータである可能性が高い。よって、本発明によれば、検索キーワードと時期的関連性の高いデータについてもれなく検索結果として出力することができる。
【００３５】
また、データ検索システム１は、付加データとして位置情報をさらに含み、検索はキーワード一致データに付加されている付加データに含まれる位置情報を連動検索キーワードとして抽出するため、検索キーワードと位置的に関連性の高い関連データを、よりもれなく検索結果として提示できる。
【００３６】
また、データ検索システム１は、付加データとしてユーザが任意に登録できるテキストデータであるユーザ登録情報をさらに含み、検索部１３は、キーワード一致データに付加されている付加データに含まれるユーザ登録情報を連動検索キーワードとして抽出するため、ユーザが任意に登録した情報に基づいて、検索キーワードとその情報を介して関連する関連データを検索結果として提示できる。
【００３７】
また、データ検索システム１は、キーワード一致データと連動一致データとを階層を分けて生成する階層構造特定部１５をさらに備え、出力部１６は階層構造特定部１５により生成された階層に従ってキーワード一致データ及び連動一致データを出力するため、キーワード一致データと連動一致データとを分けて生成することとなり、ユーザにとって検索キーワードとの関連性を認識しやすいデータ出力が可能となる。なお、階層は三階層と二階層とが考えられるが、三階層とした場合には連動一致データがどのメタデータで紐づいたデータかが認識できるようになるため、ユーザにとって、より整理されたわかりやすい検索結果表示となる。
【００３８】
なお、本発明は、上述した実施形態に限定されるものではない。例えば、図１に示したようなデータ検索用サーバ装置の各構成要素は、ユーザが使用する端末装置２０に一部又は全てが具備されていてもよい。
【符号の説明】
【００３９】
１…データ検索システム、１０…データ検索用サーバ装置、１３…検索部（検索手段）、１４…連動検索部（連動検索手段）、１５…階層構造特定部（階層構造特定手段）、１６…出力部（出力手段）。
【図１】
2013206387.tif 000003
【図２】
2013206387.tif 000004
【図３】
2013206387.tif 000005
【図４】
2013206387.tif 000006
【図５】
2013206387.tif 000007
【図６】
2013206387.tif 000008